(57)【特許請求の範囲】
【請求項１】
安全帯のベルトを挿通可能な矩形状のベルト用穴部と、このベルト用穴部のベルト幅方向の両側縁の第１，第２ベルト幅側部材と、前記ベルト幅方向に直交するベルト長さ方向の両側縁の第１，第２ベルト長側部材と、前記第１，第２ベルト幅側部材のほぼ中央に、対向する位置で前記ベルト用穴部の中心に向けて突出した第１，第２突起部とを有する平板状のベース部と、
このベース部の前記第１ベルト長側部材の上面に片持ちで突設されて前記第１ベルト長側部材との間でランヤードを挿通可能な第１ハンガー片と、この第１ハンガー片の一端に前記ランヤードを挿入可能に設けた第１挿入口とを有する第１ハンガー部と、
前記ベース部の前記第２ベルト長側部材の上面に片持ちで突設されて前記第２ベルト長側部材との間で前記ランヤードを挿通可能な第２ハンガー片と、この第２ハンガー片の一端に前記ランヤードを挿入可能に設けた第２挿入口とを有する第２ハンガー部と、で構成し、
前記第１ハンガー部の第１挿入口と前記第２ハンガー部の第２挿入口が、互いに反対方向に向けて配置されていることを特徴とする安全帯のベルトハンガー。
【請求項２】
前記第１ハンガー部の第１挿入口及び前記第２ハンガー部の第２挿入口の少なくとも一方の近くに、前記第１及び又は第２ベルト幅側部材の上面にハンガー受け部が突起して設けられていることを特徴とする請求項１記載の安全帯のベルトハンガー。
【請求項３】
前記第１，第２ハンガー片は、ベルト長さ方向の側面のほぼ中央部に窪み部を形成したことを特徴とする請求項１または請求項２に記載の安全帯のベルトハンガー。
【請求項４】
前記第１，第２ハンガー片は、第１，第２挿入口の一端側のベルト長さ方向の側面に傾斜面を設けたことを特徴とする請求項１〜３のいずれか一つに記載の安全帯のベルトハンガー。
【請求項５】
前記第１，第２ハンガー片は、第１，第２挿入口において第１，第２ベルト長側部材に向けて突出する突部を設けていることを特徴とする請求項１〜４のいずれか一つに記載の安全帯のベルトハンガー。
【発明の詳細な説明】
【技術分野】
【０００１】
この発明は、安全帯のベルトハンガーに関し、特に高所作業時に落下事故防止のために使用する安全帯のランヤードやフックなどを一時的に掛けるために安全帯のベルトに装着する安全帯のベルトハンガーに関する。
【背景技術】
【０００２】
従来、高所作業時に落下事故防止のために使用する安全帯には、例えばハーネス型安全帯と呼ばれるものがある。このハーネス型安全帯は、肩掛けベルト、胴ベルト、腿ベルト等のベルトで構成されており、前記肩掛けベルトは背中で交差しており、この交差箇所にＤ環が取り付けられている。前記Ｄ環にはハーネス用のランヤードが固定され、前記ランヤードの先端にはフックが設けられている。
【０００３】
作業者は、高所作業時に、前記ランヤードのフックを構造物や他の取付用設備等に引っ掛けて作業を行うのであるが、高所での作業区間を離れるときは、前記ランヤードのフックを外してから、そのフックは安全帯のベルトに装着したリングに一時的に掛けて他の場所へ移動する。
【０００４】
このとき、ランヤードは二つ折りの状態で足元に垂れ下がってぶらぶらした状態になるので歩行の邪魔になり、これに加えて、移動時にランヤードが種々の構造物に引っ掛かる危険がある。
【０００５】
上記の問題点を解消するために、例えば特許文献１では、安全帯の胴ベルトを挿通する穴部と、安全帯のロープ（ランヤードに該当）を引っ掛けるためのハンガー部とで構成される仮止め補助具が考案されている。二つ折りにして足元に垂れ下げられたロープの中途部を前記ハンガー部に掛けるものである。
【０００６】
また、特許文献２では、安全帯の胴ベルトを挿通する挿通孔と、フックを掛合するリング部と、安全帯のロープ（ランヤードに該当）を掛止する掛止部とで構成されるフックハンガーが考案されている。足元に垂れ下げられたロープを巻いて二重に重ねて前記掛止部に掛けるものである。
【特許文献１】実用新案登録第３０５３５３１号公報
【特許文献２】実用新案登録第３０９６６３９号公報
【発明の開示】
【発明が解決しようとする課題】
【０００７】
ところで、従来の特許文献１の仮止め補助具においては、ハンガー部は単にロープを上から引っ掛けるだけであるので、作業者が移動中に、ロープが構造物にぶつかる等の何らかの原因で、前記ハンガー部からロープが外れるという問題点があった。
【０００８】
また、特許文献２のフックハンガーにおいては、掛止部の先端が狭くなっているのであるが、上記の特許文献１で示されているようにロープに何らかの大きな力がかかると、特許文献１の場合と同様に前記掛止部からロープが外れるという問題点があった。
【０００９】
この発明は、掛けたランヤードが人為的でなければ簡単に外れない安全帯のベルトハンガーを提供することを目的とする。
【課題を解決するための手段】
【００１０】
請求項１に記載の発明は、安全帯のベルトを挿通可能な矩形状のベルト用穴部と、このベルト用穴部のベルト幅方向の両側縁の第１，第２ベルト幅側部材と、前記ベルト幅方向に直交するベルト長さ方向の両側縁の第１，第２ベルト長側部材と、前記第１，第２ベルト幅側部材のほぼ中央に、対向する位置で前記ベルト用穴部の中心に向けて突出した第１，第２突起部とを有する平板状のベース部と、このベース部の前記第１ベルト長側部材の上面に片持ちで突設されて前記第１ベルト長側部材との間でランヤードを挿通可能な第１ハンガー片と、この第１ハンガー片の一端に前記ランヤードを挿入可能に設けた第１挿入口とを有する第１ハンガー部と、前記ベース部の前記第２ベルト長側部材の上面に片持ちで突設されて前記第２ベルト長側部材との間で前記ランヤードを挿通可能な第２ハンガー片と、この第２ハンガー片の一端に前記ランヤードを挿入可能に設けた第２挿入口とを有する第２ハンガー部と、で構成し、前記第１ハンガー部の第１挿入口と前記第２ハンガー部の第２挿入口が、互いに反対方向に向けて配置されている安全帯のベルトハンガーである。
【００１１】
請求項２に記載の発明は、前記第１ハンガー部の第１挿入口及び前記第２ハンガー部の第２挿入口の少なくとも一方の近くに、前記第１及び又は第２ベルト幅側部材の上面にハンガー受け部が突起して設けられている請求項１記載の安全帯のベルトハンガーである。
【００１２】
請求項３に記載の発明は、前記第１，第２ハンガー片は、ベルト長さ方向の側面のほぼ中央部に窪み部を形成した請求項１または請求項２に記載の安全帯のベルトハンガーである。
【００１３】
請求項４に記載の発明は、前記第１，第２ハンガー片は、第１，第２挿入口の一端側のベルト長さ方向の側面に傾斜面を設けた請求項１〜３のいずれか一つに記載の安全帯のベルトハンガーである。
【００１４】
請求項５に記載の発明は、前記第１，第２ハンガー片は、第１，第２挿入口において第１，第２ベルト長側部材に向けて突出する突部を設けている請求項１〜４のいずれか一つに記載の安全帯のベルトハンガーである。
【発明の効果】
【００１７】
以上のごとき課題を解決するための手段から理解されるように、この発明の安全帯のベルトハンガーによれば、安全帯のベルトをベース部の下側からベルト用穴部から第１、第２ベルト幅側部材のほぼ中央を繋ぐ部材としての第１、第２突起部に掛けることにより容易に装着できる。また、簡単に取り外すことができる。作業者は、高所作業時である場所から他の場所へ移動するときに、例えば安全帯のランヤードを２つ折りにしてから、２本のランヤードを第１ハンガー部の第１挿入口から挿入して第１ハンガー片と第１ベルト長側部材との間に容易に挿通することができる。次いで、前記第１ハンガー部の第１挿入口と反対方向の第２ハンガー部の第２挿入口から挿入して第２ハンガー片と第２ベルト長側部材との間に容易に挿通することができる。しかも、第１，第２ハンガー部の第１，第２挿入口が互いに反対方向に向いているので、人為的でなければランヤードを第１，第２ハンガー部から簡単に外れないようにすることができる。したがって、ランヤードをバラバラにならないように確実にホールドすることができる。
【００１８】
この発明の安全帯のベルトハンガーによれば、安全帯のベルトをベース部の下側からベルト用穴部から第１，第２ベルト幅側部材のほぼ中央を繋ぐ部材としての第１、第２突起部に掛けることにより容易に装着できる。また、簡単に取り外すことができる。また、安全帯のランヤードを第１，第２ハンガー部に容易に挿入することができる。さらに、第１，第２ハンガー部の第１，第２挿入口が同じ方向に向いていても、第１，第２挿入口の少なくとも一方の近くにハンガー受け部を設けたので、人為的でなければランヤードを第１又は第２ハンガー部から簡単に外れないようにすることができる。
【発明を実施するための最良の形態】
【００１９】
以下、この発明の実施の形態について図面を参照して説明する。
【００２０】
図１ないしは図３を参照するに、この実施の形態に係るベルトハンガー１は、図示しない安全帯（詳しくは図８で説明する）の肩掛けベルト、胴ベルト等の各種ベルト３に装着するもので、着脱可能である。
【００２１】
ベルトハンガー１は、基本的には、前記ベルト３に着脱自在な平板状のベース部５と、このベース部５の上面に設けた第１，第２ハンガー部７，９とで構成されており、しかも前記第１ハンガー部７の開口部分である第１挿入口１１と第２ハンガー部９の開口部分である第２挿入口１３がそれぞれ反対方向に向いていることを特徴とする。
【００２２】
より詳しくは、平板状のベース部５は、安全帯のベルト幅より広く、かつ前記ベルト３を挿通可能な矩形状のベルト用穴部１５と、このベルト用穴部１５のベルト幅方向としてのＸ軸方向の両側縁の第１，第２ベルト幅側部材１７，１９と、前記Ｘ軸方向に直交するベルト長さ方向としてのＹ軸方向の両側縁の第１，第２ベルト長側部材２１，２３とで構成されている。さらに、上記の第１，第２ベルト幅側部材１７，１９のほぼ中央には、第１，第２突起部２５，２７が互いに対向する位置で前記ベルト用穴部１５の中心に向けて突出している。すなわち、第１突起部２５は第１ベルト幅側部材１７のほぼ中央からベルト用穴部１５の中心に向けて突出しており、第２突起部２７は第２ベルト幅側部材１９のほぼ中央からベルト用穴部１５の中心に向けて突出している。
【００２３】
なお、前記第１突起部２５の先端と第２突起部２７の先端の間は、安全帯のベルト３を折り曲げて図１の二点鎖線に示されているように第１，第２突起部２５，２７に掛かるように挿通できる間隔２９を有していることが望ましい。
【００２４】
また、第１ハンガー部７は、第１ハンガー片３１が上記のベース部５の第１ベルト長側部材２１の上面に片持ちで突設し、かつＸ軸方向に延伸しており、第１ハンガー片３１と第１ベルト長側部材２１との間で前記安全帯のランヤード（詳しくは図８で説明する）を挿通可能である。しかも、前記第１ハンガー片３１の一端と第１ベルト長側部材２１との間で、前記ランヤードを挿入可能な第１挿入口１１が形成されている。
【００２５】
一方、第２ハンガー部９は、第２ハンガー片３３が上記のベース部５の第２ベルト長側部材２３の上面に片持ちで突設し、かつＸ軸方向に延伸しており、第２ハンガー片３３と第２ベルト長側部材２３との間で前記安全帯のランヤードを挿通可能である。しかも、前記第２ハンガー片３３の一端と第２ベルト長側部材２３との間で、前記ランヤードを挿入可能な第２挿入口１３が形成されている。
【００２６】
さらに加えて、前述したように、上記の第１ハンガー部７の第１挿入口１１と第２ハンガー部９の第２挿入口１３は、互いに反対方向に向けて配置されている。
【００２７】
また、前記第１ハンガー部７の第１挿入口１１は、図４に示されているように、Ａ部の隙間が断面円形のロープ状のランヤード３５Ｒの直径や、断面矩形のベルト状のランヤード３５Ｂの厚さより狭く形成されている。なお、前記第２ハンガー部９の第２挿入口１３も同様に形成されている。これにより、第１，第２ハンガー部７，９はランヤード３５をしっかりとホールドすることができる。しかも、Ａ部に一定の隙間を開けることにより、比較的ランヤード３５の出し入れがスムーズとなる。また、第１ハンガー片３１及び前記第２ハンガー片３３は、第１，第２ベルト長側部材２１，２３との間隔が狭くなる部分に矢印Ｂ部のように傾斜角度をつけることにより、ロープ状やベルト状のランヤード３５Ｒ，３５Ｂが抜けないようにしっかりホールドすることができる。
【００２８】
なお、ベルトハンガー１の材質は樹脂製であり、第１，第２ハンガー片３１，３３が付け根部分から先端までの間で若干の弾力性を持つように形成されている。これにより、ランヤード３５を第１，第２挿入口１１，１３から挿入する際に、第１，第２ハンガー片３１，３３が変形して第１，第２挿入口１１，１３が広げられることと、ランヤード３５が少しつぶれることにより、スムーズに第１，第２ハンガー部７，９に挿入される。
【００２９】
また、この実施の形態では、前記第１ベルト幅側部材１７の上面には、突起状のハンガー受け部３７が第１ハンガー部７の第１挿入口１１の付近に設けられている。これにより、第１ハンガー部７に挿入されたランヤード３５が、より一層第１挿入口１１から外れないように防止することができる。さらに加えて、詳しくは後述するが、第１ハンガー片３１にランヤード３５のフック３９などを掛けたときに、第１ハンガー片３１にかかる荷重を上記のハンガー受け部３７で補助的に支える。ちなみに、第１ハンガー片３１にかかる荷重をハンガー受け部３７で補助しない場合は、第１ハンガー片３１が変形・破損する恐れが生じる。
【００３０】
なお、突起状のハンガー受け部３７は、第２ベルト幅側部材１９の上面に、しかも第２ハンガー部９の第２挿入口１３の付近に設けることができ、あるいは、第１，第２ハンガー部７，９の第１，第２挿入口１１，１３の付近の両方に設けることができる。
【００３１】
図５ないしは図８を参照するに、高所作業時に落下事故防止のために使用する安全帯の一例を示すものでハーネス型安全帯４１と呼ばれるものである。この実施の形態では、このハーネス型安全帯４１は、肩掛けベルト３Ａ、腿ベルト３Ｂ等の各種ベルト３で構成されている。腿ベルト３Ｂは作業者の腿に巻いた後に肩掛けベルト３Ａとバックル４３で連結するものである。また、前記肩掛けベルト３Ａは背中で交差しており、この交差箇所にＤ環４５が取り付けられている。前記Ｄ環４５にはハーネス用のランヤード３５が固定され、前記ランヤード３５の先端にはフック３９が設けられている。また、肩掛けベルト３Ａの前側にはフック３９を掛けるリング４７が装着されている。
【００３２】
上記構成により、この実施の形態のベルトハンガー１は、図６に示されているように、安全帯４１の肩掛けベルト３Ａの前側に装着される。すなわち、Ｙ軸方向に小さな輪を作るようにベルト３を折り曲げてから、図１の二点鎖線に示されているように、ベース部５の下側から例えばベルト３の左側の輪の部分をベルト用穴部１５の第１突起部２５に掛ける。次いで、ベルト３を折り曲げて、ベルト３の右側の輪の部分をベルト用穴部１５の第２突起部２７に掛けるようにして、前記ベルト３が第１，第２突起部２５，２７の先端間の間隔２９を通過することにより、ベルトハンガー１を肩掛けベルト３Ａに容易に装着することができる。しかも、簡単に取り外すことができる。
【００３３】
実際の高所作業時では、作業者は安全帯４１のランヤード３５のフック３９を構造物や他の取付用設備等に引っ掛けて作業を行うのであるが、高所での作業区間を離れるときは、前記ランヤード３５のフック３９を外してから、図６に示されているように、そのフック３９は安全帯４１の例えば肩掛けベルト３Ａに装着したリング４７に一時的に掛ける。
【００３４】
さらに、ランヤード３５は２つ折り、あるいは３つ折りにしてから、例えば図５及び図６に示されているように、２つ折りの１本目のランヤード３５が第１ハンガー部７の第１挿入口１１から挿入して第１ハンガー片３１と第１ベルト長側部材２１との間に挿通される。２本目のランヤード３５も同様に第１ハンガー部７の第１挿入口１１から挿入される。
【００３５】
次いで、上記の２本目のランヤード３５が前記第１ハンガー部７の第１挿入口１１と反対方向の第２ハンガー部９の第２挿入口１３から挿入して第２ハンガー片３３と第２ベルト長側部材２３との間に挿通される。さらに、上記の１本目のランヤード３５も同様にして第２ハンガー部９の第２挿入口１３から挿入される。
【００３６】
３つ折りの場合は、１本目、２本目、３本目のランヤード３５の順に第１ハンガー部７に上述したのと同様に挿通した後に、逆に上記の３本目、２本目、１本目のランヤード３５の順に第２ハンガー部９に上述したのと同様に挿通することになる。
【００３７】
以上のように、この実施の形態のベルトハンガー１は、第１，第２ハンガー部７，９の第１，第２挿入口１１，１３が互いに反対方向に向いているので、１本目ないしは３本目のランヤード３５は、第１，第２ハンガー部７，９に容易に挿通することができ、しかも人為的でなければランヤード３５が第１，第２ハンガー部７，９から簡単に外れないものである。
【００３８】
これにより、作業者が移動中に、ベルトハンガー１に掛けられたランヤード３５が構造物にぶつかる等の何らかの大きな力がかかっても、第１，第２ハンガー部７，９から簡単に外れないので安全に移動することができる。
【００３９】
なお、作業者が高所作業中に、ランヤード３５の全長を使用したくない場合は、前述したようにランヤード３５をベルトハンガー１に掛けて、使用したい長さだけ出すこともできる。
【００４０】
次に、この発明の他の実施の形態のベルトハンガーについて説明する。前述した実施の形態のベルトハンガー１は、種々の変更を加えて別のいろいろな実施の形態のベルトハンガーとすることができる。前述したベルトハンガー１と同様の部分は同じ符号を付し、特に異なる部分について図面を参照して説明する。
【００４１】
図９を参照するに、ベルトハンガー４９は、第１ハンガー片３１及び第２ハンガー片３３のそれぞれの付け根部側が第１，第２挿入口１１，１３の側の部分より太い形状であることを特徴としている。他はベルトハンガー１と同様である。
【００４２】
これにより、第１ハンガー片３１及び前記第２ハンガー片３３のそれぞれの付け根部の面積が大きくなるので、折れにくくなる。一方、第１，第２挿入口１１，１３の側の部分は細くなっているので、弾力性があるためにランヤード３５の挿入あるいは取り外しを容易にすることができる。
【００４３】
図１０を参照するに、ベルトハンガー５１は、第１ハンガー片３１及び第２ハンガー片３３のそれぞれの付け根部側と第１，第２挿入口１１，１３の側の部分が、ベルトハンガー１の場合より太い形状であるが、前記第１ハンガー片３１と第２ハンガー片３３の対向する側のＹ軸方向の側面に、その長さ方向のほぼ中央に第１，第２窪み部５３，５５が形成されている。つまり、第１ハンガー片３１の第１窪み部５３と第２ハンガー片３３の第２窪み部５５は互いに対向した位置で反対側に窪んでいる。
【００４４】
これにより、第１ハンガー片３１及び第２ハンガー片３３のそれぞれの付け根部の面積が大きくなるので、折れにくくなる。さらに、ベルトハンガー５１が安全帯４１の肩掛けベルト３Ａの前側に装着されたときに、下方に位置する第１ハンガー片３１又は第２ハンガー片３３の第１窪み部５３又は第２窪み部５５に、ランヤード３５のフック３９などを掛けやすくなる。
【００４５】
図１１を参照するに、ベルトハンガー５７は、第１ハンガー片３１及び第２ハンガー片３３のそれぞれの付け根部側と第１，第２挿入口１１，１３の側の部分が、ベルトハンガー１の場合より太い形状であるが、前記第１ハンガー片３１と第２ハンガー片３３の同じ側（図１１において上側）のＹ軸方向の側面に、その長さ方向のほぼ中央に第３，第４窪み部５９，６１が形成されている。すなわち、第１ハンガー片３１と第２ハンガー片３３の第３，第４窪み部５９，６１は、同じ方向に向けて形成されている。
【００４６】
これにより、第１ハンガー片３１及び前記第２ハンガー片３３のそれぞれの付け根部の面積が大きくなるので、折れにくくなる。さらに、ベルトハンガー５７は第１ハンガー片３１の第３窪み部５９及び第２ハンガー片３３の第４窪み部６１を上に向くようにして安全帯４１の肩掛けベルト３Ａの前側に装着されたときに、上記の第３窪み部５９と第４窪み部６１のどちらもランヤード３５のフック３９などが掛けやすくなる。
【００４７】
図１２を参照するに、ベルトハンガー６３は、図１０のベルトハンガー５１の変形例であり、第１ハンガー片３１及び第２ハンガー片３３は、それぞれの第１，第２挿入口１１，１３の側のＹ軸方向の側面に、第１，第２傾斜面６５，６７が設けられていることを特徴とする。すなわち、第１ハンガー片３１の図１２においてＣ部に第１傾斜面６５が設けられ、第２ハンガー片３３の図１２においてＤ部に第２傾斜面６７が設けられている。
【００４８】
これにより、ランヤード３５がそれぞれの第１ハンガー部７及び第２ハンガー部９に挿入しやすくなる。他は図１０のベルトハンガー５１と同様である。
【００４９】
図１３を参照するに、ベルトハンガー６９は、図１１のベルトハンガー５７の変形例であり、第１ハンガー片３１及び第２ハンガー片３３は、それぞれの第１，第２挿入口１１，１３の側のＹ軸方向の側面に、第３，第４傾斜面７１，７３が設けられていることを特徴とする。すなわち、第１ハンガー片３１の図１３においてＥ部に第３傾斜面７１が設けられ、第２ハンガー片３３の図１３においてＦ部に第４傾斜面７３が設けられている。
【００５０】
これにより、ランヤード３５がそれぞれの第１ハンガー部７及び第２ハンガー部９に挿入しやすくなる。他は図１１のベルトハンガー５７と同様である。
【００５１】
図１４を参照するに、前述した図１及び図９〜図１３の実施の形態のベルトハンガー１，４９，５１，５７，６３，６９においては、第１ハンガー片３１の第１挿入口１１の側の一端には、図１４において下方の第１ベルト長側部材２１に向けて突出する突部７５が設けられている。なお、前記突部７５は断面半円形状であることが望ましい。または、第２ハンガー片３３の第２挿入口１３の側の一端にも前記突部７５を設けてもよい。さらに、前記突部７５は第１、第２ハンガー片３１、３３の両方に設けてもかまわない。
【００５２】
これにより、第１ハンガー部７及び第２ハンガー部９に挿入されたランヤード３５がそれぞれ抜けにくくなる。しかも、突部７５が断面半円形状であることで、それ程大きな抵抗にはならずにランヤード３５を出し入れすることができる。
【００５３】
図１５を参照するに、この実施の形態のベルトハンガー７７は、第１ハンガー部７の第１挿入口１１と第２ハンガー部９の第２挿入口１３が同じ方向に向けて配置されている。すなわち、片持ちの第１ハンガー片３１及び第２ハンガー片３３の延伸方向の向きが同じ方向である。これに加えて、前記第１挿入口１１の近くには、ハンガー受け部３７が第１ベルト幅側部材１７の上面に突起している。このハンガー受け部３７は前記第２挿入口１３の近くに設けてもよいし、前記第１挿入口１１、第２挿入口１３の両方に設けても構わない。
【００５４】
これにより、たとえ第１，第２ハンガー部７，９の第１，第２挿入口１１，１３が同じ方向に向いていても、前述した実施の形態のベルトハンガー１で詳しく説明したのと同様に、ハンガー受け部３７がランヤード３５の外れ防止となるので、人為的でなければランヤード３５が第１，第２ハンガー部７，９から簡単に外れない。
【００５５】
また、第１ハンガー片３１にランヤード３５のフック３９などを掛けたときに、第１ハンガー片３１にかかる荷重を上記のハンガー受け部３７で補助的に支える。ちなみに、第１ハンガー片３１にかかる荷重をハンガー受け部３７で補助しない場合は、第１ハンガー片３１が変形・破損する恐れが生じる。
【００５６】
なお、この実施の形態のベルトハンガー７７は、上述した点以外の箇所では前述した図１及び図９〜図１４について説明した実施の形態も適用されるものであり、詳しい説明は省略する。
【００５７】
ちなみに、前述した実施の形態のベルトハンガー１のように、第１ハンガー部７の第１挿入口１１と第２ハンガー部９の第２挿入口１３が互いに反対方向に向けて配置されている場合は、必ずしも上記のハンガー受け部３７が無くてもランヤード３５が外れにくいのであるが、この実施の形態のベルトハンガー７７では上記のハンガー受け部３７を設けることが特に望ましい。
【図面の簡単な説明】
【００５８】
【図１】この発明の実施の形態のベルトハンガーの斜視図である。
【図２】図１のベルトハンガーの平面図である。
【図３】図１のベルトハンガーの正面図である。
【図４】図２の矢視ＩＶ−ＩＶ線の断面図である。
【図５】図１のベルトハンガーにランヤードを掛けたときの状態を示す斜視図である。
【図６】安全帯及び前記安全帯に装着したベルトハンガーにランヤードを掛けたときの状態を示す正面図である。
【図７】図６の背面図である。
【図８】安全帯を使用する状態説明図である。
【図９】この発明の他の実施の形態のベルトハンガーの平面図である。
【図１０】この発明の他の実施の形態のベルトハンガーの平面図である。
【図１１】この発明の他の実施の形態のベルトハンガーの平面図である。
【図１２】この発明の他の実施の形態のベルトハンガーの平面図である。
【図１３】この発明の他の実施の形態のベルトハンガーの平面図である。
【図１４】この発明の他の実施の形態のベルトハンガーを示すもので、図２の矢視ＩＶ−ＩＶ線の断面図である。
【図１５】この発明の他の実施の形態のベルトハンガーの斜視図である。
【符号の説明】
【００５９】
１  ベルトハンガー
３  ベルト
３Ａ  肩掛けベルト
３Ｂ  腿ベルト
５  ベース部
７  第１ハンガー部
９  第２ハンガー部
１１  第１挿入口
１３  第２挿入口
１５  ベルト用穴部
１７  第１ベルト幅側部材
１９  第２ベルト幅側部材
２１  第１ベルト長側部材
２３  第２ベルト長側部材
２５  第１突起部
２７  第２突起部
２９  間隔
３１  第１ハンガー片
３３  第２ハンガー片
３５  ランヤード
３７  ハンガー受け部
３９  フック
４１  安全帯
４３  バックル
４５  Ｄ環
４７  リング
４９  ベルトハンガー
５１  ベルトハンガー
５３  第１窪み部
５５  第２窪み部
５７  ベルトハンガー
５９  第３窪み部
６１  第４窪み部
６３  ベルトハンガー
６５  第１傾斜面
６７  第２傾斜面
６９  ベルトハンガー
７１  第３傾斜面
７３  第４傾斜面
７５  突部
７７  ベルトハンガー
【図１】
0005030854.tif 000002
【図２】
0005030854.tif 000003
【図３】
0005030854.tif 000004
【図４】
0005030854.tif 000005
【図５】
0005030854.tif 000006
【図６】
0005030854.tif 000007
【図７】
0005030854.tif 000008
【図８】
0005030854.tif 000009
【図９】
0005030854.tif 000010
【図１０】
0005030854.tif 000011
【図１１】
0005030854.tif 000012
【図１２】
0005030854.tif 000013
【図１３】
0005030854.tif 000014
【図１４】
0005030854.tif 000015
【図１５】
0005030854.tif 000016